(57)【特許請求の範囲】
【請求項１】
地震などによる振動を検知してキャビネットなどの扉が開かないようにするロック装置において、前記振動によって傾斜面を移動する検知体が、前記傾斜面のロック位置で前記扉の閉成を保持するように動作する検知機構と、前記傾斜面の傾斜角度を調整する調整手段とを備え、当該調整手段は、前記検知体が正常に作動するようにするための調整ねじであって、前記装置本体を天板に取り付けるための取付ねじとは別個のものであることを特徴とする扉ロック装置。
【請求項２】
前記検知体を前記傾斜面の安定位置に配設する際、前記検知体が、あたかも前記キャビネットを水平状態に取り付けたようにするときに、前記ケース体に穿設された確認窓を通して当該ケース体に刻印されている三角印の位置で停止することを確認可能にしたことを特徴とする請求項1に記載の扉ロック装置。
【発明の詳細な説明】
【０００１】
【発明が属する技術分野】
本発明は、地震などの振動を検知してキャビネットなどの扉を開かないようにするロック装置に関する。
【０００２】
【従来の技術】
従来よりキャビネットの収納物が地震などの振動によって飛び出してこないように、当該振動を検知してその扉が開かないようにロックしてしまう振動検知式の扉ロック装置が知られている。
【０００３】
【発明が解決しようとする課題】
ところが、上記装置をキャビネットに取り付けるとき、取り付けのもとになる框自体の歪み、或いは取り付け精度の不良によってキャビネットが傾いて取り付けられることがある。しかるに、上記装置がこのようなキャビネットに取り付けられている場合、微振動でもロック動作を起こす感度の高いものほどキャビネットの僅かな傾きに対して誤動作を起こし易く、例えば地震などの振動が発生したときには既にロックが係りぱなしになっていたり、振動が収まったときにもロックが解除されなかったりするなど、そのロック動作が正しく機能しないことがあった。そのために、ロック動作が正しく機能するように、その都度キャビネットの傾き状態を水平器などを用いて調整し、キャビネットに対するロック装置の取り付け状態を調整することを行っていたが、このような調整作業はかなりの手間を要するものであった。
【０００４】
本発明の目的は、ロック動作が正しく機能するための調整作業に手間を要しない扉ロック装置を提供することにある。
【０００５】
【課題を解決するための手段】
上記課題を解決するために、本発明の請求項１に係る扉ロック装置は、地震などによる振動を検知してキャビネットなどの扉が開かないようにするロック装置で、地震などの振動によって傾斜面を移動する検知体が、当該傾斜面のロック位置で扉の閉成を保持するように動作する検知機構と、上記傾斜面の傾斜角度を調整する調整手段とを備え、当該調整手段は、前記検知体が正常に作動するようにするための調整ねじであって、前記装置本体を天板に取り付けるための取付ねじとは別個のものであるもので、キャビネットなどが傾いて取り付けられていても、検知体が移動する傾斜面の傾斜角度を調整手段で調整すれば、ロック動作が正しく機能するようにできるので、この種の調整作業には従来のような手間を要しない。
【０００６】
また、本発明の請求項２に係るに係る扉ロック装置は、上記検知体を傾斜面の安定位置に配設する際、検知体が、あたかも前記キャビネットを水平状態に取り付けたようにするときに、前記ケース体に穿設された確認窓を通して当該ケース体に刻印されている三角印の位置で停止することを確認可能にしたもので、調整手段により検知体が安定位置に配設されるように傾斜面の傾斜角度を調整する際に、この調整を、例えば確認窓を通して確認しながらできるので、上記調整作業がより手間を要することなく行える。
【０００７】
【発明の実施の形態】
本発明の扉ロック装置に係る第１の実施の形態を図面を参照して説明する。
図１において、１は扉ロック装置５が取り付けられる、例えばキッチンの食器棚などのキャビネット、３は装置５の装置本体６が取り付けられるキャビネット１の天板、２は装置５の被係止体７が取り付けられるキャビネット１の開口部を閉成する扉である。
【０００８】
本装置５は、図２に示すように、装置本体６及び被係止体７を具備し、装置本体６は取付板１５、ケース体８、調整ねじ（調整手段）１４及び検知機構１６で構成されている。
ケース体８は、例えば合成樹脂材などで成形され、上記検知機構１６の収納部２３が設けられた箱部２１と、この箱部２１の上部に左右両側に拡がる板状のフランジ部２２とを有している。箱部２１の前面の略中央には、検知機構１６を構成する係止体９の先端部３１が収納部２３から箱部２１の外側に突出して配設されるように、矩形孔２６が上下方向を長手方向として穿設され、また、箱部２１の両側面の略中央部には、係止体９の回転軸１１を支持するための連通孔２５が穿設されている。そして、この連通孔２５の下方に検知機構１６の作動を確認することができる矩形状の確認窓２４が穿設され、この確認窓２４の直下に検知機構１６を構成する検知体１３の後述する安定位置を示す三角印２７が刻印されている。また、箱部２１の底板には、前方（矩形孔２６が穿設されている側）に漸増する傾斜面３０が設けられ（図４参照）、この傾斜面３０を検知体１３が移動できるようになっている。この傾斜面３０はロック位置と称され、特に、ロック動作が行われない位置、例えば検知体１３が図４（Ａ）のような状態にあるときの位置を安定位置と称される。
【０００９】
フランジ部２２は、左右両側のそれぞれ２箇所に調整ねじ１４の雄ねじ部１４ｃが螺合する雌ねじ孔２９を有しており、左右両側のそれぞれの雌ねじ孔２９ではさまれた位置には、装置本体６を上記天板３に取り付けるための径大孔２８が穿設され、この径大孔２８の孔径は、取付ねじ（図示せず）の頭部より大きく当該頭部と干渉しないようになっている。
【００１０】
検知機構１６は、検知体１３、係止体９、スプリング１２、係止軸１０及び回転軸１１を有している。係止体９は、例えば金属板などで形成され、側面視略凹形状をなしており、その前方側には上方に立ち上がる先端部３１が形成されている。そして、この先端部３１の前面には曲形状面３９が設けられ、その先端部３１の後面には扉２が閉塞されたとき被係止体７の被係止面５５と係合する係止面３２が設けられている。また、係止体９の後方側には上方に立ち上がる後端部４０が形成され、この後端部４０の略中央には回転軸１１が挿入される回転軸孔３４が穿設され、係止体９が回転軸１１の回りで回動できるようになっている。また、後端部４０の上面にはスプリング１２の一端部１２ｂを係止するための係止軸１０が挿入される係止軸孔３３が穿設され、更に、この後端部４０の下面には湾局面３６が形成され、この湾局面３６に連なって、検知体１３が上記傾斜面３０を移動するときに接触するロック面３７が形成されている。
また、検知体１３は、例えば金属製の球であり、地震などの振動によって上述のように傾斜面３０を移動する。スプリング１２は、その中間のカール部１２ａを回転軸１１に係止させ、その一端部１２ｂを係止軸１０に係止させるとともに、他端部１２ｃをケース体８の底面に接触させ、常に係止体９の先端部３１を上方に付勢するように作用している。
【００１１】
取付板１５は、ケース体８のフランジ部２２に対応して方形の板形状をなしており、フランジ部２２の雌ねじ孔２９に対応した位置に座ぐり部を有する軸孔４２が、また、フランジ部２２の径大孔２８に対応した位置に上述の取付ねじが貫通する取付ねじ孔４１がそれぞれ穿設されている。
【００１２】
調整ねじ１４は、例えばドライバなどの工具の十字部が嵌入する操作部１４ｂを設けた径大部１４ａ、この径大部１４ａの直上にフランジ部２２の雌ねじ孔２９に螺合する雄ねじ部１４ｃ、この雄ねじ部１４ｃの直上に取付板１５の軸孔４２に挿入される軸部１４ｄを有している。雄ねじ部１４ｃのねじ長さは雌ねじ孔２９のそれより若干長めにできており、径大部１４ａとフランジ部２２との間、及びフランジ部２２と取付板１５との間には隙間が生じるように設定されている（図３参照）。この隙間は調整ねじ１４を回動させたときフランジ部２２を取付板１５側または径大部１４ａ側のいずれの側にも移動できるようにするためである。そして、調整ねじ１４の先端で、取付板１５の座ぐり部から突出した部分は、調整ねじ１４が回動できる程度にカシメられている。
【００１３】
被係止体７は、略Ｌ字状をなしており、取付ビスなどで扉２に取り付けるための取付長孔５３を有する基部５１、この基部５１から水平方向に延出する立設部５２、この立設部５２から垂直下方向に突出する被係止部５４を有し、被係止部５４の後面には被曲形状面５６が、また、その前面には被係止面５５が形成されている。
【００１４】
このような構成に係る本装置５の作用を図４を用いて説明する。
まず、通常の扉２の開閉時の作用について説明する。扉２を開く前は検知体１３は、ケース体８の傾斜面３０の安定位置に位置しており、また、被係止体７の被係止面５５と係止体９の係止面３２とが接触している（同図（Ａ））。扉２を開くと、スプリング１２の付勢力に抗して、係止体９はその先端部３１が下降する方向に回転し（同図（Ｂ））、両係止面５５，３２同士の接触が解かれる。すると、スプリング１２の付勢力によってその先端部３１が上昇する方向に回転し、被係止体７と係止体９との係合が解除され、扉２が開かれる。また、扉２を閉めるときは、被係止体７の被曲形状面５６と係止体９の曲形状面３９との接触に基づき作用する力によって、係止体９は、その先端部３１がスプリング１２の付勢力に抗して下降する方向に回転し（同図（Ｂ））、しかる後、両係止面５５，３２同士が接触するとともに、スプリング１２の付勢力によりその先端部３１が上昇する方向に回転し、被係止体７と係止体９とが係合する状態となって扉２が閉められる（同図（Ａ））。
【００１５】
扉２が閉じられているときに、地震などの振動によってキャビネット１が傾いた場合、本装置５におけるロック動作を図４（Ｃ）を用いて説明する。
検知体１３は、振動が生じると傾斜面３０の安定位置からロック位置に移動してこの傾斜面３０と係止体９のロック面３７とに挟み込まれる態様となる。しかるに、このとき扉２を開かせるような力が作用しても、検知体１３によって係止体９の先端部３１の下降方向への回転が阻止されるため、被係止体７と係止体９との係合状態が保持され、本装置５のロック動作が機能する。振動がおさまると検知体１３はロック位置から安定位置、例えば同図（Ａ）のような位置するところに移動するので、通常の扉２の開閉ができるようになる。
【００１６】
次に、本装置５での、ロック動作が正しく機能するための調整作業について図３及び４を参照して説明する。当該調整作業は傾斜面３０の傾斜角度を調整ねじ１４を用いることによって手間を要することなく簡単に行うことができる。
即ち、例えばキャビネット１の取り付けの際、奥側が低く手前側が高い状態で取り付けられた場合には、４箇所に設けられた調整ねじ１４のうち後側の２箇所の調整ねじ１４について、取付板１５とケース体８との隙間が小さくなる方向に回転する一方、前側の２箇所の調整ねじ１４について、取付板１５とケース体８との隙間が大きくなる方向に回転してあたかもキャビネット１を水平状態に取り付けたようにする。このときの水平度は、確認窓２４を通して検知体１３が三角印２７の位置で停止することを目安にすることによって簡単に得られる。
このような調整作業がなされた本装置５では、キャビネット１が傾いて取り付けられていてもロック動作が正しく機能する。
【００１７】
また、キャビネット１の取り付けの際、奥側が高く手前側が低い状態で取り付けられた場合には、後側の２箇所の調整ねじ１４について、取付板１５とケース体８との隙間が大きくなる方向に回転する一方、前側の２箇所の調整ねじ１４について、取付板１５とケース体８との隙間が小さくなる方向に回転すればあたかもキャビネット１を水平状態に取り付けたようにでき、このときの水平度もまた、上述同様に確認窓２４を通して検知体１３が三角印２７の位置で停止するようにすることで簡単に得られる。
このような確認窓２４を通して行えば、例えば扉２を開けた状態のキャビネット１に対しも、ロック動作の確認を含めた上述の調整作業が手間を要することなく行える。
【００１８】
ところで、本実施の形態では、検知体１３が直線的な方向のみ移動できるロック装置５を説明したが、平面上をあらゆる方向に移動できるようにしてもよく、そのときにはキャビネット１の左右方向の傾きに関し上記調整ねじ１４を適宜調整することによりあたかもキュビネット１を水平状態に取り付けたようにすることができる。また、本実施の形態では、取付板１５とケース体８とを別体で構成したものについて説明したが、両者をヒンジ片やピンなどで軸支することによって調整ねじ１４を減らし調整作業の手間を更になくすようにしてもよい。
【００１９】
本発明の扉ロック装置に係る第２の実施の形態を図５及び６を参照して説明する。尚、これらの図面において、図１〜４の構成部材と同一の部材には同一番号を付し、その説明は割愛する。
本実施の形態では、ケース体８の代わりに透明な材質のケース体９０とし、調整ねじ１４の代わりにガイド調整ねじ６０、ガイド片６５、案内ナット７０及びガイド軸７５で構成される調整手段８０としている。
ケース体９０は、その底面に半円状に切り欠いた切欠支持部７７を有する支持片７６が突設され、その前面の矩形孔２６の下方にガイド調整ねじ６０を支持する支持孔７９が穿設され、更に、その両側面にはガイド軸７５が圧入される回動孔７８が穿設されている。ところで、上記フランジ２２には、取付ねじが貫通する取付ねじ孔４１のみが設けられている。
【００２０】
調整手段８０を構成するガイド調整ねじ６０は、後側に支持片７６の切欠支持部７７に支持される切欠き溝６１を有しており、支持孔７９とともに支持されて自由に回動できるようになっている。また、このガイド調整ねじ６０は円筒状の案内ナット７０の雌ねじ孔７１に螺合するようになっており、ガイド調整ねじ６０を回動させることで案内ナット７０を前後方向に摺動できる。そして、ガイド片６５は、略矩形体で形成されるもので、その上面には検知体１３が移動する傾斜面６９、その両側面の中間部には案内ナット７０が係合する傾斜長孔６８、その後部にはケース体９０の回動孔７８に連通するガイド孔６７を有しており、回動孔７８及びガイド孔６７にガイド軸７５が挿入される。また、ガイド片６５の内部にはガイド調整ねじ６０が収容できるねじ収容部６６が設けられている。
【００２１】
このような構成に係る装置における、ロック動作が正しく機能するための調整作業について説明する。
ガイド調整ねじ６０を回動すると、案内ナット７０がガイド片６５の傾斜長孔６８に沿って前後方向に移動する。しかし、ガイド片６５は、その後部がガイド軸７５で支持されているために当該ガイド軸７５の回りに回動し、このためガイド片６５の前端部が上下するので、当該ガイド片６５の傾斜面６９の傾斜角度を自由に調整することができる（例えば、図６（Ａ）から同図（Ｂ）或いは同図（Ｃ））。よって、あたかもキャビネット１を水平状態に取り付けたようにすることができ、このような調整作業がなされた本装置では、キャビネット１が傾いて取り付けられていてもロック動作が正しく機能することは言うまでもない。
本実施の形態では、ケース体９０が透明な材質のものであるために、ケース体８の確認窓２４と同様に上記調整作業を行うことができることに加え、この動作の全体が目視できるのでロック動作を確認することが容易になり、この種の調整作業をより手間をかけることなくできる。
【００２２】
ところで、上述した実施の形態では、検知体１３を球体として説明したが、その形状は、振動で移動することによって被係止体７と係止体９との係合状態が保持されるようにできるものであれば球体に限るものではない。
【００２３】
【発明の効果】
本発明の扉ロック装置によれば、ロック動作が正しく機能するための調整作業に手間を要しない。
【図面の簡単な説明】
【図１】  本発明の第１の実施の形態に係る扉ロック装置が取り付けられる状態図である。
【図２】  図１の扉ロック装置の分解斜視図である。
【図３】  図１の扉ロック装置の正面部分断面図である。
【図４】  図１の扉ロック装置の動作説明図である。
【図５】  本発明の第２の実施の形態に係る扉ロック装置の分解斜視図である。
【図６】  図４の扉ロック装置の動作説明図である。
【符号の説明】
１            キャビネット
２            扉
５            扉ロック装置
１３          検知体
１４          調整ねじ（調整手段）
１６          検知機構
２４          確認窓
３０，６９    傾斜面
８０          調整手段
【図１】
0003851058.tif 000002
【図２】
0003851058.tif 000003
【図３】
0003851058.tif 000004
【図４】
0003851058.tif 000005
【図５】
0003851058.tif 000006
【図６】
0003851058.tif 000007